(57)【要約】【課題】資産管理を容易に行うことができる上、資産管理の時間を節約することができるスマート型資産管理システムを提供する。【解決手段】スマート型資産管理システムは、データベースサーバ側１と、データベースサーバ側１に接続された複数のユーザインタフェース側２とを備える。データベースサーバ側１は、データベースを有し、ユーザインタフェース側２から入力された財務情報に基づき、データベースサーバ側１中にファイルが生成される。まず、財務情報の内容に基づいてプログラム計算３を実行して計算した後、評価報告４が作成され、評価報告４に基づいて現在及び将来予測し得るリスクをユーザに知らせ、ユーザは評価報告４に基づいて人工資産管理プラニング５又はシステム資産管理プラニング６を選択する。資産管理提案７は、投資項目提案８と、支払いツールの選択９とを指し、ユーザの全体の財務収益を増やす。【選択図】図１
2018190203.tif 000002
【特許請求の範囲】
【請求項１】
データベースサーバ側と、前記データベースサーバ側に接続された複数のユーザインタフェース側と、を備えたスマート型資産管理システムであって、
前記データベースサーバ側は、データベースを有し、前記ユーザインタフェース側から入力された財務情報に基づき、前記データベースサーバ側中にファイルが生成され、前記財務情報には、収入、支出及び投資が含まれ、まず、前記財務情報の内容に基づいてプログラム計算を実行して計算した後、評価報告が作成され、前記評価報告に基づいて現在及び将来予測し得るリスクをユーザに知らせ、ユーザは前記評価報告に基づいて人工資産管理プラニング又はシステム資産管理プラニングを選択し、ユーザが前記人工資産管理プラニングを選択した場合、ファイナンシャルプランナーの情報をユーザに提供し、ユーザが前記システム資産管理プラニングを選択した場合、プログラム計算を行うが、両者ともに資産管理提案をユーザに提供し、前記資産管理提案は、投資項目提案と、支払いツールの選択とを指し、ユーザの全体の財務収益を増やし、システムサービス期間に業績報告と、資産承継に関する法律情報とを提供することを特徴とするスマート型資産管理システム。
【請求項２】
前記データベースサーバ側に記憶するユーザの財務情報とは、コンピュータが計算するデータ化されたデータであることを特徴とする請求項１に記載のスマート型資産管理システム。
【請求項３】
前記データベースサーバ側は２つ以上であることを特徴とする請求項１に記載のスマート型資産管理システム。
【請求項４】
前記ユーザインタフェース側は、コンピュータ、又はインターネットを提供するスマート型通信機器であることを特徴とする請求項１に記載のスマート型資産管理システム。
【請求項５】
前記ユーザインタフェース側から入力された財務情報は、サーバデータベースからの即時情報であり、
前記サーバデータベースは銀行のデータベースであることを特徴とする請求項１に記載のスマート型資産管理システム。
【請求項６】
前記評価報告は、プログラムで計算した後、文字、図形、音声又は動画で表されることを特徴とする請求項１に記載のスマート型資産管理システム。
【請求項７】
前記プログラム計算は、予めプログラムが搭載されたコンピュータを使用し、前記ユーザインタフェース側から入力されて前記データベースサーバ側に記憶された財務情報を計算することを特徴とする請求項１に記載のスマート型資産管理システム。
【請求項８】
前記プログラム計算は、前記ユーザインタフェース側から入力され、前記データベースサーバ側に記憶された財務情報を使用し、
コンピュータは、経済情勢に応じてプログラム（人工知能）を自ら変更して前記財務情報を計算することを特徴とする請求項１に記載のスマート型資産管理システム。
【請求項９】
ユーザが前記人工資産管理プラニングを選択した場合、ユーザに前記ファイナンシャルプランナーが提案されることを特徴とする請求項１に記載のスマート型資産管理システム。
【請求項１０】
前記投資項目提案は、２項目以上であることを特徴とする請求項１に記載のスマート型資産管理システム。
【請求項１１】
前記支払いツールの選択は、２項目以上であることを特徴とする請求項１に記載のスマート型資産管理システム。
【請求項１２】
前記支払いツールの選択は、市販されている支払いシステムであることを特徴とする請求項１に記載のスマート型資産管理システム。
【請求項１３】
前記業績報告は、プログラムで計算した結果が所定時間毎又は即時に文字、図形、音声又は動画により表されることを特徴とする請求項１に記載のスマート型資産管理システム。
【請求項１４】
前記資産承継に関する法律情報は、ユーザが遺産承継プラニングを行うときに提供する法律その他関連したサービスであることを特徴とする請求項１に記載のスマート型資産管理システム。
【発明の詳細な説明】
【技術分野】
【０００１】
本発明は、スマート型資産管理システムに関し、特に、ユーザインターフェース側から入力された財務情報をデータベースサーバ側に記憶し、プログラムにより計算して分析し、検査報告をユーザ側へ提供し、ユーザは資産管理方式の選択及び変更を行い、最終的にシステムサービス期間における業績と、資産承継に関する法律情報とを提供するスマート型資産管理システムに関する。
【背景技術】
【０００２】
経済が発展するに従い、人々は資産管理の方式及び業績を重視するようになってきている。しかし、市場には多くの投資項目及び支払いツールがあるため、自分の条件に適したプランを適切に選択することは困難であり、従来の関連システムでは、その専門分野のみのサービスしか提供できず、多方面の分野のサービスを総合的に提供することができず、資産管理の業績を向上させることは困難であった。こうした現状に鑑み、本発明者は鋭意研究を重ねた結果、資産管理を容易に行うことができる上、資産管理の時間を節約することができる本発明を完成させたものである。
【発明の概要】
【発明が解決しようとする課題】
【０００３】
本発明の主な目的は、資産管理を容易に行うことができる上、資産管理の時間を節約することができるスマート型資産管理システムを提供することにある。
【課題を解決するための手段】
【０００４】
上記課題を解決するために、本発明の第１の形態によれば、データベースサーバ側と、前記データベースサーバ側に接続された複数のユーザインタフェース側と、を備えたスマート型資産管理システムであって、前記データベースサーバ側は、データベースを有し、前記ユーザインタフェース側から入力された財務情報に基づき、前記データベースサーバ側中にファイルが生成され、前記財務情報には、収入、支出及び投資が含まれ、まず、前記財務情報の内容に基づいてプログラム計算を実行して計算した後、評価報告が作成され、前記評価報告に基づいて現在及び将来予測し得るリスクをユーザに知らせ、ユーザは前記評価報告に基づいて人工資産管理プラニング又はシステム資産管理プラニングを選択し、ユーザが前記人工資産管理プラニングを選択した場合、ファイナンシャルプランナーの情報をユーザに提供し、ユーザが前記システム資産管理プラニングを選択した場合、プログラム計算を行うが、両者ともに資産管理提案をユーザに提供し、前記資産管理提案は、投資項目提案と、支払いツールの選択とを指し、ユーザの全体の財務収益を増やし、システムサービス期間に業績報告と、資産承継に関する法律情報とを提供することを特徴とするスマート型資産管理システムが提供される。
【０００５】
前記データベースサーバ側に記憶するユーザの財務情報とは、コンピュータが計算するデータ化されたデータであることが好ましい。
【０００６】
前記データベースサーバ側は２つ以上であることが好ましい。
【０００７】
前記ユーザインタフェース側は、コンピュータ、又はインターネットを提供するスマート型通信機器であることが好ましい。
【０００８】
前記ユーザインタフェース側から入力された財務情報は、サーバデータベースからの即時情報であり、前記サーバデータベースは銀行のデータベースであることが好ましい。
【０００９】
前記評価報告は、プログラムで計算した後、文字、図形、音声又は動画で表されることが好ましい。
【００１０】
前記プログラム計算は、予めプログラムが搭載されたコンピュータを使用し、前記ユーザインタフェース側から入力されて前記データベースサーバ側に記憶された財務情報を計算することが好ましい。
【００１１】
前記プログラム計算は、前記ユーザインタフェース側から入力され、前記データベースサーバ側に記憶された財務情報を使用し、コンピュータは、経済情勢に応じてプログラム（人工知能）を自ら変更して前記財務情報を計算することが好ましい。
【００１２】
ユーザが前記人工資産管理プラニングを選択した場合、ユーザに前記ファイナンシャルプランナーが提案されることが好ましい。
【００１３】
前記投資項目提案は、２項目以上であることが好ましい。
【００１４】
前記支払いツールの選択は、２項目以上であることが好ましい。
【００１５】
前記支払いツールの選択は、市販されている支払いシステムであることが好ましい。
【００１６】
前記業績報告は、プログラムで計算した結果が所定時間毎又は即時に文字、図形、音声又は動画により表されることが好ましい。
【００１７】
前記資産承継に関する法律情報は、ユーザが遺産承継プラニングを行うときに提供する法律その他関連したサービスであることが好ましい。
【発明の効果】
【００１８】
本発明のスマート型資産管理システムは、資産管理を容易に行うことができる上、資産管理の時間を節約することができる。
【図面の簡単な説明】
【００１９】
【図１】図１は、本発明の一実施形態に係るスマート型資産管理システムを示すシステムブロック図である。
【発明を実施するための形態】
【００２０】
以下、本発明の実施形態について図に基づいて説明する。なお、これによって本発明が限定されるものではない。
【００２１】
図１を参照する。図１は、本発明の一実施形態に係るスマート型資産管理システムを示すシステムブロック図である。図１に示すように、本発明の一実施形態に係るスマート型資産管理システムは、少なくとも１つのデータベースサーバ側１と、サーバ側に接続された複数のユーザインタフェース側２と、を備える。データベースサーバ側１は、データベースを有し、ユーザインタフェース側２から入力された財務情報に基づき、データベースサーバ側１中にファイルが生成される。財務情報には、収入、支出、投資などが含まれ、まず、その財務情報の内容に基づいてプログラム計算３を実行して計算した後、評価報告（ｅｖａｌｕａｔｉｏｎ  ｒｅｐｏｒｔ）４が作成される。評価報告４に基づいて現在及び将来予測し得るリスクをユーザに知らせ、ユーザは評価報告４に基づいて人工資産管理プラニング（ａｒｔｉｆｉｃｉａｌ  ｆｉｎａｎｃｅ  ｐｌａｎｎｉｎｇ）５及びシステム資産管理プラニング（ｓｙｓｔｅｍａｔｉｃ  ｆｉｎａｎｃｅ  ｐｌａｎｎｉｎｇ）６を選択する。ユーザが人工資産管理プラニング５を選択した場合、ファイナンシャルプランナーの情報をユーザに提供する。ユーザがシステム資産管理プラニング６を選択した場合、プログラム計算３を行うが、両者ともに資産管理提案７をユーザに提供する。資産管理提案７は、投資項目提案８と、支払いツールの選択９とを指し、ユーザの全体の財務収益を増やし、システムサービス期間に業績報告１０と、資産承継に関する法律情報１１とを提供する。
【００２２】
上述したデータベースサーバ側１に記憶するユーザの財務情報とは、コンピュータが計算するデータ化されたデータである。データベースサーバ側１は２つ以上でもよい。
【００２３】
上述したユーザインタフェース側２は、コンピュータ、又はインターネットを提供するスマート型通信機器でもよい。ユーザインタフェース側２から入力された財務情報は、サーバデータベースからの即時情報である。サーバデータベースは銀行のデータベースである。
【００２４】
上述した評価報告４は、プログラムで計算した後、文字、図形、音声又は動画で表されてもよい。
【００２５】
上述したプログラム計算３は、予めプログラムが搭載されたコンピュータを使用し、ユーザインタフェース側２から入力されてデータベースサーバ側１に記憶された財務情報を計算する。
【００２６】
上述したプログラム計算３は、ユーザインタフェース側２から入力され、データベースサーバ側１に記憶された財務情報を使用する。コンピュータは、経済情勢に応じてプログラム（人工知能）を自ら変更して財務情報を計算する。
【００２７】
ユーザが人工資産管理プラニング５を選択した場合、ユーザにファイナンシャルプランナーが提案される。
【００２８】
上述した投資項目提案８は、２項目以上でもよい。
【００２９】
上述した支払いツールの選択９は、２項目以上でもよい。支払いツールの選択は、市販されている支払いシステムでもよい。
【００３０】
上述した業績報告１０は、プログラムで計算した結果が所定時間毎又は即時に文字、図形、音声又は動画により表されてもよい。
【００３１】
上述した資産承継に関する法律情報１１は、ユーザが遺産承継プラニングを行うときに提供する法律その他関連したサービスでもよい。
【００３２】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００３３】
１  データベースサーバ側
２  ユーザインタフェース側
３  プログラム計算
４  評価報告
５  人工資産管理プラニング
６  システム資産管理プラニング
７  資産管理提案
８  投資項目提案
９  支払いツールの選択
１０  業績報告
１１  資産承継に関する法律情報
【図１】
2018190203.tif 000003